(57)【要約】【課題】情報処理装置の使用を管理する情報処理装置管理システム及び情報処理装置管理方法に関し、本発明は上記の点に鑑みてなされたもので、情報処理装置の不正な使用を確実に制限できる情報処理装置管理システム及び情報処理装置管理方法を提供することを目的とする。【解決手段】情報処理装置の使用を管理する情報処理装置管理システムにおいて、情報処理装置の使用者を識別する識別情報が記憶された識別手段と、識別手段から識別情報を読み取る読取手段と、読取手段の読取結果に基づいて識別手段の所在を認識し、認識結果に基づいて情報処理装置の使用を制御する指示を情報処理装置に送出する管理手段とを有し、情報処理装置は管理手段からの指示に基づいてその使用が制御されることを特徴とする。【選択図】図１
2006227735.tif 000002
【特許請求の範囲】
【請求項１】
情報処理装置の使用を管理する情報処理装置管理システムにおいて、
前記情報処理装置の使用者を識別する識別情報が記憶された識別手段と、
前記識別手段から前記識別情報を読み取る読取手段と、
前記読取手段の読取結果に基づいて前記識別手段の所在を認識し、該認識結果に基づいて前記情報処理装置の使用を制御する指示を前記情報処理装置に送出する管理手段とを有し、
前記情報処理装置は、前記管理手段からの指示に基づいてその使用が制御されることを特徴とする情報処理装置管理システム。
【請求項２】
前記読取手段は、管理すべき部屋の入退室口に設けられ、前記識別手段が該入退室口を通過するときに、前記識別手段から前記識別情報を読み取り、
前記管理手段は、前記読取手段の読取結果に基づいて前記識別手段の入退室を判定することを特徴とする請求項１記載の情報処理装置管理システム。
【請求項３】
前記読取手段は、前記入退室口の室外側に設けられ、前記識別手段から前記識別情報を読み取る第１の読取部と、
前記入退室口の室内側に設けられ、前記識別手段から前記識別情報を読み取る第２の読取部とを有し、
前記管理手段は、前記第１の読取部で所定の識別情報が読み取られた後に前記第２の読取部で該所定の識別情報が読み取られたときに、前記使用者が入室したと認識し、前記第２の読取部で所定の識別情報が読み取られた後に前記第１の読取部で該所定の識別情報が読み取られたときに、前記使用者が退室したと認識することを特徴とする請求項２記載の情報処理装置管理システム。
【請求項４】
前記読取手段は、所定時間毎に前記識別手段から前記識別情報を読み取り、
前記管理手段は、前記使用者の所在を認識することを特徴とする請求項１記載の情報処理装置管理システム。
【請求項５】
前記管理手段は、前記識別手段が室外にあるときには、前記識別手段に記憶された前記識別情報に対応する情報処理装置の使用を禁止することを特徴とする請求項１乃至４のいずれか一項記載の情報処理装置管理システム。
【請求項６】
前記管理手段は、前記使用者が退室した後、所定時間経過後、前記情報処理装置の使用を禁止することを特徴とする請求項１乃至５のいずれか一項記載の情報処理装置管理システム。
【請求項７】
前記情報処理装置は、ネットワークに接続されて使用されており、
前記管理手段は、予め登録されていない情報処理装置の前記ネットワークへの接続を拒否することを特徴とする請求項１乃至６のいずれか一項記載の情報処理装置管理システム。
【請求項８】
端末装置に接続され、該端末装置の使用を制御可能とされた情報処理装置であって、
使用者の所在を判定する判定手段と、
前記判定手段により使用者が前記端末装置を使用する部屋から退室中であると判定した場合には、前記端末装置の使用を禁止する指示を前記端末装置に出力する使用禁止指示手段とを有することを特徴とする情報処理装置。
【請求項９】
上位装置に接続され、上位装置からの指示に基づいて使用が制御可能とされた情報処理装置であって、
使用者から使用の要求があったときに、前記上位装置に使用許可を要求する使用許可要求手段と、
前記使用許可要求手段に対して前記上位装置から使用許可が通知されたときに、使用を可能とする使用制御手段とを有することを特徴とする情報処理装置。
【請求項１０】
情報処理装置の使用を管理する情報処理装置管理方法において、
前記情報処理装置の使用者を識別する識別情報が記憶された識別装置を読取手段により読み取り、
前記読取手段の読取結果に基づいて前記識別手段の所在を認識し、該認識結果に基づいて前記情報処理手段の使用を制限することを特徴とする情報処理装置管理方法。
【発明の詳細な説明】
【技術分野】
【０００１】
本発明は情報処理装置管理システム及び情報処理装置管理方法に係り、特に、情報処理装置の使用を管理する情報処理装置管理システム及び情報処理装置管理方法に関する。
【背景技術】
【０００２】
近年のコンピュータシステムは、ネットワークを介して複数の端末装置やサーバが接続されており、端末装置を使用することにより誰でも簡単に必要なデータを参照することが可能となっている。また、各端末装置は、ＩＤ及びパスワードを入力するだけで、使用可能となっている。このため、セキュリティーの向上が要求されている。
【０００３】
なお、セキュリティー性を向上させるために、各端末装置に無線タグリーダや指紋認証装置などを設ける技術が開発されていた（特許文献１参照）。
【０００４】
【特許文献１】特開２００２−１１６８４０号公報
【発明の開示】
【発明が解決しようとする課題】
【０００５】
しかるに、従来のコンピュータシステムでは、各端末装置に無線タグリーダや指紋認証装置などを設ける必要があったため、高価となる。また、単に各端末装置でセキュリティーを確保しており、コンピュータシステム全体のセキュリティー管理は行なっていなかった。
【０００６】
本発明は上記の点に鑑みてなされたもので、情報処理装置の不正な使用を確実に制限できる情報処理装置管理システム及び情報処理装置管理方法を提供することを目的とする。
【課題を解決するための手段】
【０００７】
本発明は、情報処理装置の使用を管理する情報処理装置管理システムにおいて、情報処理装置の使用者を識別する識別情報が記憶された識別手段と、識別手段から識別情報を読み取る読取手段と、読取手段の読取結果に基づいて識別手段の所在を認識し、認識結果に基づいて情報処理装置の使用を制御する指示を情報処理装置に送出する管理手段とを有し、情報処理装置は管理手段からの指示に基づいてその使用が制御されることを特徴とする。
【０００８】
識別手段は、無線ＩＣタグから構成され、読取手段は無線ＩＣタグと無線通信を行って識別情報を読み取ることを特徴とする。
【０００９】
読取手段は、管理すべき部屋の入退室口に設けられ、識別手段が入退室口を通過するときに、識別手段から前記識別情報を読み取り、管理手段は読取手段の読取結果に基づいて識別手段の入退室を判定することを特徴とする。
【００１０】
読取手段は入退室口の室外側に設けられ、前記識別手段から前記識別情報を読み取る第１の読取部と、入退室口の室内側に設けられ、識別手段から識別情報を読み取る第２の読取部とを有し、管理手段は第１の読取部で所定の識別情報が読み取られた後に第２の読取部で所定の識別情報が読み取られたときに、使用者が入室したと認識し、第２の読取部で所定の識別情報が読み取られた後に第１の読取部で所定の識別情報が読み取られたときに、使用者が退室したと認識することを特徴とする。
【００１１】
読取手段は所定時間毎に識別手段から前記識別情報を読み取り、管理手段は使用者の所在を認識することを特徴とする。
【００１２】
管理手段は識別手段が室外にあるときには識別手段に記憶された識別情報に対応する情報処理装置の使用を禁止することを特徴とする。
【００１３】
管理手段は使用者が退室した後、所定時間経過後、情報処理装置の使用を禁止することを特徴とする。
【００１４】
情報処理装置はネットワークに接続されて使用されており、管理手段は予め登録されていない情報処理装置のネットワークへの接続を拒否することを特徴とする。
【００１５】
端末装置に接続され、端末装置の使用を制御可能とされた情報処理装置であって、使用者の所在を判定する判定手段と、判定手段により使用者が端末装置を使用する部屋から退室中であると判定した場合には、端末装置の使用を禁止する使用制限手段とを有することを特徴とする。
【００１６】
上位装置に接続され、上位装置からの指示に基づいて使用が制御可能とされた情報処理装置であって、使用者から使用の要求があったときに、上位装置に使用許可を要求する使用許可要求手段と、使用許可要求手段に対して上位装置から使用許可が通知されたときに、使用を可能とする使用制御手段とを有することを特徴とする。
【００１７】
情報処理装置の使用を管理する情報処理装置管理方法において、情報処理装置の使用者を識別する識別情報が記憶された識別装置を読取手段により読み取り、読取手段の読取結果に基づいて識別手段の所在を認識し、認識結果に基づいて情報処理手段の使用を制限することを特徴とする。
【発明の効果】
【００１８】
本発明によれば、個人を識別する識別情報が記憶された識別装置から識別情報を読み取り、その読取結果に基づいて使用者の所在を認識し、認識結果を管理し、認識結果に基づいて情報処理装置の使用を制限することにより、各情報処理装置に読取装置を設けることなく、情報処理装置の不正な使用を確実に制限できる。また、システム全体としてセキュリティーを確保できる。
【発明を実施するための最良の形態】
【００１９】
〔第１実施例〕
〔システム構成〕
図１は本発明の第１実施例のシステム構成図、図２は本発明の第１実施例の概略構成図を示す。
【００２０】
本実施例の情報処理装置管理システム１００は、ＲＦＩＤタグ１１１、ＲＦＩＤタグ読取部１１２、ネットワーク１１３、サーバ１１４、端末装置１１５から構成されている。
【００２１】
ＲＦＩＤタグ１１１は、端末装置１１５を使用する使用者の各人を識別するための識別情報が記憶されており、ＲＦＩＤタグ読取部１１２と無線通信を行い、ＲＦＩＤタグ読取部１１２からの要求に応答して、識別情報をＲＦＩＤ読取部１１２に送信する。
【００２２】
ＲＦＩＤ読取部１１２は、第１のＲＦＩＤ読取部１１２ａ及び第２のＲＦＩＤ読取部１１２ｂから構成されており、各々ＲＦＩＤタグ１１１に電波を送信するとともに、ＲＦＩＤタグ１１１からの電波を受信して、受信信号から識別情報を復調する。第１のＲＦＩＤ読取部１１２ａ及び第２のＲＦＩＤ読取部１１２ｂで復調された識別情報は、ネットワーク１１３を介してサーバ１１４に通知される。
【００２３】
サーバ１１４は、ＲＦＩＤ読取部１１２を構成する第１のＲＦＩＤ読取部１１２ａ及び第２のＲＦＩＤ読取部１１２ｂからネットワーク１１３を介して通知された識別情報に基づいて端末装置１１５の使用を制御する。
【００２４】
〔ＲＦＩＤタグ１１１〕
図３はＲＦＩＤタグ１１１のブロック構成図を示す。
【００２５】
ＲＦＩＤタグ１１１は、アンテナコイル１２１、電源部１２２、高周波回路部１２３、ロジック部１２４、メモリ部１２５から構成されている。
【００２６】
アンテナコイル１２１は、例えば、平面状のコイルアンテナから構成されており、受信電波を電気信号に変換する。アンテナコイル１２１で変換された電気信号は、電源部１２２及び高周波回路部１２３に供給される。
【００２７】
電源部１２２は、アンテナコイル１２１から供給された電気信号より電源を生成する。電源部１２２で生成された電源は、高周波回路部１２３、ロジック部１２４、メモリ部１２５に供給され、駆動電源として使用される。
【００２８】
高周波回路部１２３は、アンテナコイル１２１からの電気信号より高周波成分を抽出し、復調して、ロジック部１２４に供給する。ロジック部１２４は、高周波回路部１２３からの信号からコマンドを復号化し、コマンドに基づいてメモリ部１２５から識別情報を読み出し、高周波回路部１２３に供給する。
【００２９】
高周波回路部１２３は、ロジック部１２４から供給された識別情報を変調して、アンテナコイル１２１から送出する。アンテナコイル１２１から送出された識別情報は、ＲＦＩＤタグ読取部１１２で読み取られる。
【００３０】
〔第１のＲＦＩＤタグ読取部１１２ａ〕
図４は第１のＲＦＩＤタグ読取部１１２ａのブロック構成図、図５は第１のＲＦＩＤタグ読取部１１２ａ及び第２のＲＦＩＤタグ読取部１１２ｂの配置を説明するための図を示す。
【００３１】
第１のＲＦＩＤタグ読取部１１２ａは、アンテナ１３１、送受信部１３２、制御部１３３、インタフェース部１３４から構成されており、ＲＦＩＤタグ１１１から識別情報を読み取り、ネットワーク１１３を介して管理サーバ１１４との通信を行なう。
【００３２】
アンテナ１３１は、電波の中空への放出、及び、電波の電気信号への変換を行なう。アンテナ１３１は、送受信部１３２に接続されている。送受信部１３２は、送信情報の変調及び受信信号の復調を行なう。
【００３３】
送受信部１３２は、制御部１３３に接続されている。制御部１３３は、インタフェース部１３４に接続されており、送信情報の生成を行なうとともに、送受信部１３２で復調された受信情報から識別情報を抽出し、インタフェース部１３４に供給する。インタフェース部１３４は、ネットワーク１１３とのインタフェースをとる。
【００３４】
なお、第２のＲＦＩＤタグ読取部１１２ｂは、図４に示す第１のＲＦＩＤタグ読取部１１２ａと同一の構成であるので、その説明は省略する。
【００３５】
第１のＲＦＩＤタグ読取部１１２ａは、図５に示すようにゲート２０１の室外側に設けられている。ゲート２０１は、端末装置１１５が設置されて部屋の出入口である。また、第２のＲＦＩＤタグ読取部１１２ｂは、図５に示すようにゲート２０１の室内側に設けられている。
【００３６】
第１のＲＦＩＤタグ読取部１１２ａと第２のＲＦＩＤタグ読取部１１２ｂとを図５に示すような配置とすることにより、端末使用者２０２が矢印Ａ１方向に移動し、管理サーバ１１４により第１のＲＦＩＤタグ読取部１１２ａで識別情報が読み取られた後に第２のＲＦＩＤタグ読取部１１２ｂで同じ識別情報が読み取られた場合には、端末使用者２０２が入室したと判断できる。また、端末使用者２０２が矢印Ａ２方向に移動し、第２のＲＦＩＤタグ読取部１１２ｂで識別情報が読み取られた後に第１のＲＦＩＤタグ読取部１１２ａで同じ識別情報が読み取られた場合には、端末使用者２０２が退室したと判断できる。
【００３７】
〔管理サーバ１１４〕
図６は管理サーバ１１４のブロック構成図を示す。
【００３８】
管理サーバ１１４は、インタフェース部１４１、処理部１４２、記憶装置１４３、メモリ１４４、入力部１４５、表示部１４６から構成されている。
【００３９】
インタフェース部１４１は、ネットワーク１１３とのインタフェースをとっており、第１のＲＦＩＤ読取部１１２ａ、第２のＲＦＩＤ読取部１１２ｂ、及び、端末装置１１５と通信を可能とする。
【００４０】
処理部１４２は、記憶装置１４３にインストールされた管理プログラムに基づいて端末装置１１５の使用制限を行なう。
【００４１】
記憶装置１４３は、ハードディスクドライブなどのファイル装置から構成されており、在室状況テーブル１４３ａ、端末管理マスタ１４３ｂ、個人情報マスタ１４３ｃ、管理プログラム領域１４３ｄから構成されている。
【００４２】
図７は在室状況テーブル１４３ａのデータ構成図を示す。
【００４３】
在室状況テーブル１４３ａは、ＲＦＩＤ番号情報１５１、第１のＲＦＩＤ読取部受信時刻情報１５２、第２のＲＦＩＤ読取部受信時刻情報１５３、在室状況情報１５４から構成されている。
【００４４】
ＲＦＩＤ番号情報１５１は、ＲＦＩＤタグ１１１に設定されている識別情報である。第１のＲＦＩＤ読取部受信時刻情報１５２は、第１のＲＦＩＤ読取部１１２ａで対応するＲＦＩＤ番号情報１５１が読み取られた時刻を示している。第２のＲＦＩＤ読取部受信時刻情報１５３は、第２のＲＦＩＤ読取部１１２ｂで対応するＲＦＩＤ番号情報１５１が読み取られた時刻を示している。在室状況情報１５４は、第１のＲＦＩＤ読取部受信時刻情報１５２及び第２のＲＦＩＤ読取部受信時刻情報１５３により判定された在室状況を示す情報であり、在室状態か、退室状態を示す情報である。
【００４５】
図８は端末管理マスタ１４３ｂのデータ構成図を示す。
【００４６】
端末管理マスタ１４３ｂは、エリア区別情報１６１、端末識別情報１６２、端末使用資格者情報１６３、パスワード情報１６４から構成されている。
【００４７】
エリア区別情報１６１は、端末装置１１５が配置されているエリアを示している。端末識別情報１６２は、端末装置１１５を識別するための情報である。端末使用資格者情報１６３は、従業員番号など端末装置１１５を使用する者を識別するための情報である。パスワード情報１６４は、端末装置１１５にアクセスするためのパスワードである。
【００４８】
図９は個人情報マスタ１４３ｃのデータ構成図を示す。
【００４９】
個人情報マスタ１４３ｃは、端末使用資格識別情報１７１、氏名情報１７２、ＲＦＩＤ番号情報１７３から構成されている。
【００５０】
端末使用資格識別情報１７１は、従業員番号など端末装置１１５を使用する資格を有する者を識別するための情報である。氏名情報１７２は、端末装置１１５を使用する者の氏名を示す情報である。ＲＦＩＤ番号情報１７３は、ＲＦＩＤタグ１１１に記憶された識別情報である。
【００５１】
管理プログラム領域１４３ｄには、端末装置１１５の使用を管理するための管理プログラムが格納されている。
【００５２】
メモリ１４４は、ＲＡＭなどから構成されており、処理部１４２の一時記憶装置として使用される。入力部１４５は、マウス、キーボードなどの入力デバイスから構成されており、プログラムの実行などの各種コマンドの発行、ＩＤ、パスワードなどの入力などを行なうために用いられる。表示部１４６は、ＣＲＴ、ＬＣＤなどのディスプレイから構成されており、各種データの表示、異常状態の通知などの管理に必要な情報の表示を行なう。
【００５３】
〔動作〕
次に本実施例の動作を説明する。
【００５４】
図１０は本発明の第１実施例の動作説明図を示す。
【００５５】
まず、ＲＦＩＤタグ読取部１１２がステップＳ１−１でＲＦＩＤタグ１１１からＲＦＩＤを読み取ると、ステップＳ１−２でＲＦＩＤタグ１１１の読み取りを行なった機器の識別情報及び読み取ったＲＦＩＤタグ１１１から読み取ったＲＦＩＤ並びに読取時刻を合成して、ネットワーク１１３を介して管理サーバ１１４に通知する。
【００５６】
管理サーバ１１４は、ステップＳ２−１でＲＦＩＤタグ１１１から情報を受信すると、ステップＳ２−２で在室情報設定処理を行なう。在室情報設定処理は、ＲＦＩＤタグ１１１から受信した情報に基づいて在室状況テーブル１４３ａを更新する処理である。
【００５７】
〔在室情報設定処理〕
図１１は在室情報設定処理の処理フローチャートを示す。
【００５８】
管理サーバ１１４の処理部１４２はステップＳ４−１で在室状況テーブル１４３ａが更新されると、ステップＳ４−２で在室状況テーブル１４３ａが更新されたＲＦＩＤ番号情報１５１の第１のＲＦＩＤ読取部受信時刻情報１５２及び第２のＲＦＩＤ読取部受信時刻情報１５３を読み出し、第１のＲＦＩＤ読取部受信時刻情報１５２と第２のＲＦＩＤ読取部受信時刻情報１５３とを比較する。処理部１４２は、ステップＳ４−３で第１のＲＦＩＤ読取部受信時刻情報１５２が第２のＲＦＩＤ読取部受信時刻情報１５３より早い時刻か否かを判定する。処理部１４２は、ステップＳ４−３で第１のＲＦＩＤ読取部受信時刻情報１５２が第２のＲＦＩＤ読取部受信時刻情報１５３より早ければ、室外から室内にＲＦＩＤタグ１１１が移動したと判定できるので、ステップＳ４−４で入室であると判定して、ステップＳ４−５で在室状況テーブル１４３ａの在室状況情報１５４を在室に設定する。
【００５９】
また、処理部１４２は、ステップＳ４−３で第１のＲＦＩＤ読取部受信時刻情報１５２が第２のＲＦＩＤ読取部受信時刻情報１５３より遅ければ、室内から室外にＲＦＩＤタグ１１１が移動したと判定できるので、ステップＳ４−６で退室であると判定して、ステップＳ４−５で在室状況テーブル１４３ａの在室状況情報１５４を退室に設定する。
【００６０】
以上によって、使用者の入退室状況が在室状況テーブル１４３ａに設定される。
【００６１】
図１０に戻って説明を続ける。
【００６２】
次に、端末装置１１５は、ステップＳ３−１で起動状態にされると、ステップＳ３−２で使用者にパスワードの入力を要求し、ステップＳ３−３でパスワードが入力されると、ステップＳ３−４で管理サーバ１１４に使用者資格の問合せを行なう。使用者資格の問合せ時には、端末装置１１５毎に設定された端末識別情報とステップＳ３−３で入力されたパスワードがネットワーク１１３を介して管理サーバ１１４に通知される。
【００６３】
管理サーバ１１４は、端末装置１１５から端末識別情報及びパスワードを受信すると、ステップＳ２−１１で使用者資格判定処理を実行する。
【００６４】
〔使用資格判定処理〕
図１２は使用者資格判定処理の処理フローチャートを示す。
【００６５】
管理サーバ１１４の処理部１４２は、ステップＳ５−１で端末装置１１５から端末識別情報及びパスワードを受領すると、ステップＳ５−２で端末管理マスタ１４３ｂを参照して、受領した端末識別情報が端末管理マスタ１４３ｂに存在するか否かを判定する。
【００６６】
処理部１４２は、ステップＳ５−２で受領した端末識別情報が端末管理マスタ１４３ｂに存在する場合には、外部からの持込ではなく、予め承認された端末装置１１５からのアクセスであると判定して、ステップＳ５−３で端末管理マスタ１４３ｂから端末使用資格者識別情報１６３及びパスワード情報１６４を取得するとともに、取得した端末使用資格者識別情報１６３をキーとして個人情報マスタ１４３ｃを参照して、ＲＦＩＤ番号情報１７３を取得する。
【００６７】
処理部１４２は、次に、ステップＳ５−４で取得したＲＦＩＤ番号情報１７３をキーとして在室状況テーブル１４３ａを参照して、対応する在室状況情報１５４を参照する。処理部１４２は、ステップＳ５−５で在室状況情報１５４が在室か否かを判定する。処理部１４２はステップＳ５−５で在室状況情報１５４が入室中である場合には、ステップＳ５−６で端末使用資格者が在室である旨、設定する。また、処理部１４２はステップＳ５−５で在室状況情報１５４が退室中である場合には、ステップＳ５−７で端末使用資格者が退室中である旨、設定する。
【００６８】
ここで、再び、図１０に戻って説明を続ける。
【００６９】
管理サーバ１１４の処理部１４２は、ステップＳ２−１１で上記端末使用資格判定処理により端末使用資格者が判定された後、ステップＳ２−１２で端末使用資格者が在室中であるか否かを判定する。
【００７０】
処理部１４２は、ステップＳ２−１２で端末使用資格者が在室中である場合には、ステップＳ２−１３で使用資格有りと判定する。また、ステップＳ２−１２で端末使用資格者が退室中である場合には、ステップＳ２−１４で使用資格無しと判定して、ステップＳ２−１５で無資格使用である旨の警報を出力する。警報は、例えば、表示部１４６への画面表示及び音声警報による。
【００７１】
また、処理部１４２は、ステップＳ２−１３で使用資格有りと判定すると、ステップＳ２−１６で端末装置１１５から通知されたパスワードを、端末管理マスタ１４３ｂに登録されたパスワードと比較して、一致するか否かを判定する。
【００７２】
処理部１４２は、ステップＳ２−１６で両パスワードが一致すれば、ステップＳ２−１７で使用資格有りと判定し、ステップＳ２−１６でパスワードが不一致であれば、ステップＳ２−１８で使用資格なしと判定し、ステップＳ２−１９で無資格使用である旨の警報を出力する。警報は、例えば、表示部１４６への画面表示及び音声警報による。
【００７３】
また、処理部１４２は、ステップＳ２−２０で、異常検出処理を実行する。
【００７４】
図１３は異常検出処理の処理フローチャートを示す。
【００７５】
処理部１４２は、ステップＳ６−１で在室状況テーブル１４３ａの第１のＲＦＩＤ読取部受信時刻情報１５２又は第２のＲＦＩＤ読取部受信時刻情報１５３を参照して、在室時間を算出する。在室時間は、現在時刻と第１のＲＦＩＤ読取部受信時刻情報１５２又は第２のＲＦＩＤ読取部受信時刻情報１５３との差によって算出できる。次に処理部１４２は、ステップＳ６−２で、算出した在室時間が一定時間、例えば、５時間を越えているか否かを判定する。処理部１４２は、ステップＳ６−２で一定時間内であれば、ステップＳ６−３で正常な使用状況であると判定する。また、処理部１４２は、ステップＳ６−２で在室時間が一定時間、５時間を越えている場合には、ステップＳ６−４で異常な使用状況であると判定して、異常警報を出力するとともに、使用資格無しである旨の通報する。なお、警報は、例えば、表示部１４６への画面表示及び音声警報による。
【００７６】
また、処理部１４２は、ステップＳ２−２１で、ステップＳ２−１４、Ｓ２−１７、Ｓ２−１８の判定結果を端末装置１１５に通知する。
【００７７】
端末装置１１５は、ステップＳ３−１１で使用資格問合せに対して管理サーバ１１４から判定結果を受信すると、ステップＳ３−１２で判定結果が使用資格有りか否かを判定する。端末装置１１５は、ステップＳ３−１２で判定結果が使用資格有りの場合には、ステップＳ３−１３で使用を許可する。また、端末装置１１５はステップＳ３−１２で判定結果が使用者資格無しの場合には、ステップＳ３−１４で装置の動作をロックして、装置の使用を停止する。
【００７８】
なお、端末装置１１５は、ステップＳ３−１３で使用許可後も、ステップＳ３−１５で所定時間経過すると、ステップＳ３−４に戻って管理サーバ１１４に対して使用者資格の問合せを行なう。
【００７９】
〔効果〕
本実施例によれば、ＲＦＩＣタグ１１１を読み取ることによって使用者の在室状況を管理し、端末装置１１５の使用者を制限することが可能となる。また、システム全体として管理を行なっているため、管理サーバ１１４に登録されていない端末装置を持ち込んでもネットワーク１１３を使用することができず、また、定期的に使用者の在室がチェックされ、離れると自動的にそれまで使用していた端末装置１１５にロックをかけるため、セキュリティー性を向上させることが可能となる。さらに、管理サーバ１１４によって、使用者の所在を把握できるので、異常発生時でも警備員や管理者の負担を低減できる。
【００８０】
また、入退室ゲート２０１に第１及び第２のＲＦＩＤタグ読取部１１２ａ、１１２ｂの２つのリーダ設置するだけで入退室を管理できるので、簡単な構成でシステムを構築できる。
【００８１】
〔第２実施例〕
図１４は本発明の第２実施例のシステム構成図を示す。図１５は本発明の第２実施例の概略構成図を示す。同図中、図１と同一構成部分には同一符号を付し、その説明は省略する。
【００８２】
本実施例の情報処理装置管理システム３００は、ＲＦＩＤタグ読取部３１２の配置が第１実施例とは相違している。
【００８３】
本実施例では、ＲＦＩＤタグ読取部３１２を室内の複数箇所にわたって設け、エリアＡ毎に使用者の所在を管理する構成とされており、ＲＦＩＤタグ読取部３１２によってＲＦＩＤタグ１１１から識別情報が読み取れている状態が在室状態であり、読み取れない状態を退室状態として、在室の管理を行なうものである。
【００８４】
図１６は管理サーバ３１４のブロック構成図を示す。同図中、図６と同一構成部分には同一符号を付し、その説明は省略する。
【００８５】
本実施例の管理サーバ３１４は、記憶装置３４３に記憶される在室状況テーブル３４３ａのデータ構造が相違する。また、読取管理マスタ３４３ｄを有する。さらに、管理プログラム領域３４３ｅに格納された管理プログラムが相違する。
【００８６】
図１７は在室状況テーブル３４３ａのデータ構成図を示す。同図中、図７と同一構成部分には同一符号を付し、その説明は省略する。
【００８７】
在室状況テーブル３４３ａは、ＲＦＩＤ番号情報１５１、受信読取部識別情報３５２、受信時間情報３５３、在室状況情報１５４から構成されている。
【００８８】
読取部識別情報３５２は、複数のＲＦＩＤタグ読取部３１２のうちＲＦＩＤタグ１１１を受信したＲＦＩＤタグ読取部３１２を識別する情報である。受信時間情報３５３は、ＲＦＩＤタグ読取部３１２によりＲＦＩＤタグ１１１が読み取られた時間の情報を示している。なお、本実施例においては、ＲＦＩＤタグ読取部３１２によって読み取られていないＲＦＩＤタグ１１１の識別情報に対応する在室状況テーブル３４３ａの更新によって削除されるので、在室状況情報１５４はすべて「入」となる。
【００８９】
図１８は読取部管理マスタ３４３ｄのデータ構成図を示す。
【００９０】
また、読取部管理マスタ３４３ｄは、エリア区別情報３２１、及び、読取部識別情報３２２から構成されている。エリア区別情報３２１は、対応するＲＦＩＤタグ読取部３１２が設置されたエリアを示す情報である。読取部識別情報３２２は、設置されたＲＦＩＤタグ読取部３１２を識別する情報である。
【００９１】
図１９は在室情報設定処理の処理フローチャートを示す。
【００９２】
処理部１４２は、ステップＳ７−１で管理エリア内に設置された複数のＲＦＩＤタグ読取部３１２から読み取ったＲＦＩＤタグ１１１の識別情報を取得する。このとき、ＲＦＩＤタグ読取部１１２は、同一エリア内に複数のＲＦＩＤタグ１１１が存在した場合でも識別情報が読み取れるように、複数タグ検出技術が適用される。
【００９３】
次に処理部１４２は、ステップＳ７−２で取得されたＲＦＩＤタグ１１１の識別情報により在室状況テーブル３４３ａを更新する。
【００９４】
処理部１４２は、ステップＳ７−３で一定時間毎にステップＳ７−１に戻ってＲＦＩＤタグ読取部１１２から識別情報を取得し、在室状況テーブル３４３ａを更新する。
【００９５】
以上により、処理部１４２は、在室状況テーブル３４３ａを参照することによって、在室状況を認識することができる。
【００９６】
なお、本実施例では、ＲＦＩＤタグ読取部３１２を管理エリア内に複数設けるようにしたが、ＲＦＩＤタグ読取部１１２を構成するアンテナをエリアに対応した複数箇所に設け、ＲＦＩＤタグ１１１を読み取るエリアに対応してアンテナを順次に切り換えることにより、各エリアに属するＲＦＩＤタグ１１１を読み取るようにしてもよい。
【００９７】
また、監視カメラなどと連携を取り、異常発生時には、ＲＦＩＤタグ１１１の所在により必要な映像を容易に取得でき、防犯効果を向上させることができる。
【図面の簡単な説明】
【００９８】
【図１】本発明の第１実施例のシステム構成図である。
【図２】本発明の第１実施例の概略構成図である。
【図３】ＲＦＩＤタグ１１１のブロック構成図である。
【図４】第１のＲＦＩＤタグ読取部１１２ａのブロック構成図である。
【図５】第１のＲＦＩＤタグ読取部１１２ａ及び第２のＲＦＩＤタグ読取部１１２ｂの配置を説明するための図である。
【図６】管理サーバ１１４のブロック構成図である。
【図７】在室状況テーブル１４３ａのデータ構成図である。
【図８】端末管理マスタ１４３ｂのデータ構成図である。
【図９】個人情報マスタ１４３ｃのデータ構成図である。
【図１０】本発明の第１実施例の動作説明図である。
【図１１】在室情報設定処理の処理フローチャートである。
【図１２】使用者資格判定処理の処理フローチャートである。
【図１３】異常検出処理の処理フローチャートである。
【図１４】本発明の第２実施例のシステム構成図である。
【図１５】本発明の第２実施例の概略構成図である。
【図１６】管理サーバ３１４のブロック構成図である。
【図１７】在室状況テーブル３４３ａのデータ構成図である。
【図１８】読取部管理マスタ３４３ｄのデータ構成図である。
【図１９】在室情報設定処理の処理フローチャートである。
【符号の説明】
【００９９】
１００、３００  情報処理装置管理システム
１１１  ＲＦＩＤタグ、１１２  ＲＦＩＤタグ読取部、
１１２ａ  第１のＲＦＩＤタグ読取部、１１２ｂ  第２のＲＦＩＤタグ読取部
１１３  ネットワーク、１１４  管理サーバ、１１５  端末装置
１２１、１３１  アンテナ、１２２  電源部、１２３  高周波回路部
１２４  ロジック部
１２５  メモリ部
１３２  送受信部、１３３  制御部、１３４  インタフェース部
２０１  ゲート、２０２  使用者
１４１  インタフェース部、１４２  処理部、１４３  記憶装置、１４４  メモリ
１４５  入力部、１４６  表示部
３１２  ＲＦＩＤタグ読取部、３１４  管理サーバ、３４３  記憶装置
【図１】
2006227735.tif 000003
【図２】
2006227735.tif 000004
【図３】
2006227735.tif 000005
【図４】
2006227735.tif 000006
【図５】
2006227735.tif 000007
【図６】
2006227735.tif 000008
【図７】
2006227735.tif 000009
【図８】
2006227735.tif 000010
【図９】
2006227735.tif 000011
【図１０】
2006227735.tif 000012
【図１１】
2006227735.tif 000013
【図１２】
2006227735.tif 000014
【図１３】
2006227735.tif 000015
【図１４】
2006227735.tif 000016
【図１５】
2006227735.tif 000017
【図１６】
2006227735.tif 000018
【図１７】
2006227735.tif 000019
【図１８】
2006227735.tif 000020
【図１９】
2006227735.tif 000021